(57)【要約】【課題】凸版印刷のインキ供給装置にて、アニロックスローラを使用せず、弾性体のインキ着けローラを有した機構にて、ローラ履歴側のインキ膜厚の履歴を解消するインキ供給装置を供給する。【解決手段】版胴径とインキ着けローラ径を等径とすることで、版胴とインキ着けローラ間のインキ転移は、それぞれ同じ部位で合流・分離するので常に一定の膜厚を保ち、この履歴の影響をなくすことができた。【選択図】  図１
2005131900.tif 000002
【特許請求の範囲】
【請求項１】
版胴１１の径とインキ着けローラ１２の径を等径とした凸版印刷のインキ供給部。
【請求項２】
１色印刷に対し、版胴１１、インキ着けローラ１２、インキ元ローラ１３の各1胴の計３胴で構成しているインキ供給装置において、インキ元ローラ１３がアニロックスローラを使用しない表面平滑な部材で構成され、インキ着けローラ１２が、弾性材の表面から構成されている請求項１のインキ供給部。
【請求項３】
インキ元ローラ１３の周速度を変えることで、基材１０上のインキ膜厚を制御できる請求項２のインキ供給部。
【発明の詳細な説明】
【技術分野】
【０００１】
本発明は、フレキソ印刷を含む凸版印刷機のインキ供給装置に関する技術である。
【背景技術】
【０００２】
版面に均一なインキ膜厚を形成させるため、フレキソ印刷では、従来はアニロックスローラが、定量のインキを版面に供給する部材として使われていた。版面に表面の硬いアニロックスローラが接するため、版面が弾性を有している必要があった。またアニロックスローラのセル容量は、一定であるためインキ量を調整することができなかった。
【０００３】
凸版印刷のもう一つの従来技術は、複数のインキ着けローラ群とインキ着けローラとインキ元ローラの間に多数のローラを配置して版の画線部・非画線部で生じるインキ履歴を軽減したインキ供給装置となっていた。
【発明の開示】
【発明が解決しようとする課題】
【０００４】
解決しょうとする問題点は、アニロックスローラなしで均一なインキを供給することとこのインキ供給量を調整できるようにすること更に版に接するインキ着けローラを弾性ローラとすることである。版面に接するアニロックスローラは、その表面が剛のため版面側で弾性構造をとってインキの受け渡しを改善していた。このためレリーフ高さを高くし、クッションを版下に敷くため高精細印刷に対応を難しくしていた。また多数ローラ群によるインキ履歴の軽減方式は、装置を大型化し保守の手を要するので少数ローラによるインキ供給装置とすることにある。
【課題を解決するための手段】
【０００５】
上記課題を解決するため、本発明によれば、版胴径とインキ着けローラ径を等径とすることである。版胴とインキ着けローラ間のインキ授受は、それぞれ同じ部位で合流・分離するので、インキ履歴の影響がなく版面は常に一定の膜厚を保ち、印刷することができる。
【０００６】
平滑で高硬度の表面のインキ元ローラが1胴、弾性体表面のインキ着けローラが1胴、版胴が１胴の計３胴を有した機構にて１色当りのインキ供給装置が提供される。
【０００７】
インキ元ローラとインキ着けローラとの速度差でインキ供給量が制御できるので、基材へのインキ量すなわちインキ膜厚を制御できるインキ供給装置が提供される
【発明の効果】
【０００８】
アニロックスローラを使用しないで、従来技術のインキドクターにて表面平滑なインキ元ローラからインキを供給することができたので、アニロックスローラによって生じる、空気の巻き込み、磨耗によるインキ供給量の減少、印刷物による線数の変更に伴うアニロックスローラの交換といった問題が解消した。
【０００９】
インキ着けローラが弾性体で構成されるので、版面に対しやさしくなり、版は、レリーフを硬くすることでき版の耐久性が増し、レリーフ高さも低くでき高精細印刷にも対応でき、弾性のためのクッションも不要となった。
【００１０】
インキ元ローラの周速度を変えることで、基材上のインキ膜厚を制御でき印刷濃度可変とすることでできた。
【００１１】
版硬度の高い従来の凸版印刷には、複数胴のインキ着けローラをもって、インキ履歴を少なくしていたが、版胴、インキ着けローラ、インキ元ローラが、各1胴でもってインキ供給装置を構成でき小型化できた。
【発明を実施するための最良の形態】
【００１２】
発明を実施するための最良の形態を実施例にもとづき図面を参照して説明する。
【実施例１】
【００１３】
図1は本発明のインキ供給装置のローラ配置例を示す。インキ着けローラ１２は、版胴１１およびインキ元ローラ１３と圧接している。インキ元ローラ１３の大径部は、インキパン１７中のインキ１６に浸かりインキドクター１５で掻き取られて均一膜厚のインキが、インキ着けローラ１２に供給される。インキ着けローラ１２と版胴１１は、等径で、図に示されない駆動装置によって、同じ表面速度で回転駆動される。インキ着けローラ１２に供給されたインキは、版胴１１の版レリーフ頂部の画線部へ供給され、版胴１１の版レリーフ頂部から、従来の印刷技術で基材１０へインキが転移し印刷される。インキ着けローラ１２と版胴１１は、圧接状で等径であるので、インキ着けローラ１２と版胴１１の周方向の位置関係は常に一定で、ニップの位置関係が変わらず常に一定のインキ膜厚を提供され、インキ履歴が残らずに良い印刷ができる。
【００１４】
図２に、各胴の画線部のインキ膜厚を模式的に示す。インキ転移率を５０％としてインキ膜厚を求めと次のようになる。版胴１１の供給側膜厚Tｐaインキは、基材１０上にインキ膜厚Tｔと版胴１１の履歴側膜厚Tｐｂとに分離し転移するのでTｐa＝ Tｔ＋Tｐb・・・・式（１）となり、インキ転移率は５０％であるから、Tｐb＝Tｔ・・・・式（２）となる。式（１）と式（２）から、Tｐa＝２Tｔ・・・・式（３）となる。同様に、版胴１１とインキ着けローラ１２のニップ部では、版胴１１の履歴側膜厚Tｐｂとインキ着けローラ１２の供給側膜厚Tｆa が合流し, 版胴１１の供給側膜厚Tｐaとインキ着けローラ１２の履歴側膜厚Tｆｂに分離するのでTｐa＝Tｆｂ＝2Tｔ・・・・式（５）となり、Tｆa＝３Tｔ・・・・式（６）となる。また、インキ元ローラ１３、インキ着けローラ１２間の転移は、インキ元ローラ１３の周速度Vｄ、インキ着けローラ１２の周速度Vｆとすると、インキ元ローラ１３、インキ着けローラ１２の分離後の膜厚ｔｄ、ｔｆは（ｔｄ/ｔｆ）＝（Vｄ/ Vｆ）１/ ２・・・・式（７）の関係が知られている。ここでは、周速度が同じ時の見掛けの相当厚さTｄｂ、Tｆa を考えると、同様にTｆｂ＋Tｄa＝Tｆa ＋Tｄｂ・・・・式（８）となりTｆa＝TｄｂであるからTｄa ＝４Tｔ・・・・式（９）となる。Tｄｂは、インキパン１７内のインキ１６に浸かり履歴がなくなる。よってインキ元ローラ１３の供給側の相当膜厚がインキドクター１５によりTｄa＝４Tｔとなると、インキ着けローラ供給側、版供給側の膜厚は、それぞれ３Tｔ、２Tｔと常に一定厚となることが分かった。どのローラも供給側と履歴側の膜膜厚差は、一定のTｔとなっている。よって版胴径とインキ着けローラ径を等径とすることで、版胴とインキ着けローラ間のニップは、それぞれ同じ位置関係で合流・分離するので画線部は常に同じ部位の画線部とニップし、インキ膜厚は常に一定を保ち、この履歴の影響をなくすことができる。
【００１５】
次に非画線部について図３にて説明する。非画線部では、インキの消費がないので、各ローラ類の周速度が、同じなら式（７）より、膜厚はどこも同じとなる。すなわち、インキ元ローラ１３の見掛けの相当厚さTｄaが、上記画線部と同じ４Tｔであれば、Tｆa 、Tｆｂ、Tｄｂも４Tｔとなり、常に一定となる。凸版印刷では通常、基材のインキ膜厚Tｔは、およそ1から３ミクロンメーター程で、インキ元ローラの相当膜厚Tｄaは、４から１２ミクロンメーター程となる。版のレリーフ高さが、版胴とインキ着けローラのニップによるレリーフの歪分より４から１２ミクロンメーター以上であれば、版の非画線部にインキが転移することはない。
【００１６】
弾性体の胴径は、圧接状態でトルーローリングの径を採用すればよい。
【００１７】
インキ供給装置として、１色当たりインキ元ローラ１３とインキ着けローラ１２と版胴１１の３胴で構成される。インキ元ローラ１３の表面は、掻き取りドクタに耐えるようクロームめっきなどで平滑で硬く仕上げられているがアニロックスローラの必要はない。版胴１１と等径のインキ着けローラ１２の表面は、ごむなどの弾性体により構成されて、版表面のレリーフと柔に圧接することができる。版胴、インキ着けローラは、交換作業を容易とするため、既存の技術による中空、軸交換式等の軽量化するのが好ましい。
【実施例２】
【００１８】
本発明の別の好ましい実施例によれば、インキ着けローラを版胴の倍径にした機構で、版胴径が小さいとき有用である。
【産業上の利用可能性】
【００１９】
フレキソ印刷を含む凸版印刷機械のインキ供給装置に利用できる。
【図面の簡単な説明】
【００２０】
【図１】本発明の実施例1によるインキ供給装置を示す図である。
【図２】本発明によるインキ供給装置の画線部のインキ膜厚を示す説明図。
【図３】本発明によるインキ供給装置の非画線部のインキ膜厚を示す説明図。
【図４】従来のインキ供給装置を示す図である。
【符号の説明】
【００２１】
１０  基材
１１  版胴
１２  インキ着けローラ
１３  インキ元ローラ
１４  圧胴
１５  インキドクター
１６  インキ
１７  インキパン
２１  アニロックスローラ
T t   基材上のインキ膜厚
T p a  版胴のインキ供給側のインキ膜厚
T p b  版胴の履歴側のインキ膜厚
T f a  インキ着けローラのインキ供給側のインキ膜厚
T f b  インキ着けローラの履歴側のインキ膜厚
T d a  インキ元ローラのインキ供給側のインキ膜厚
T d b  インキ元ローラの履歴側のインキ膜厚
【図１】
2005131900.tif 000003
【図２】
2005131900.tif 000004
【図３】
2005131900.tif 000005
【図４】
2005131900.tif 000006